【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
間欠的にスリープ状態から受信可能状態に移行せしめて受信信号波形を受信する間欠受信装置において、当該間欠受信装置の受信動作を行なうための基準クロックを出力する発振器と、前記基準クロックよりも低速の低速クロックを出力する低速クロック発生器と、当該間欠受信装置をウェイクアップさせるためのウェイクアップタイミングを前記低速クロックにより計数するウェイクアップカウンタと、前記ウェイクアップタイミングによりウェイクアップした際に、前記基準クロックに基づいて、所望する理想復調系列を示す理想復調タイミング位置を中心にして、当該間欠受信装置における復調動作に適するタイミング間隔として予め定められたタイミング幅Δｔずつ異なる複数の復調タイミングを生成して出力するタイミング制御部と、無線部により受信された受信信号波形に対して、前記タイミング制御部から前記タイミング幅Δｔずつ異なる復調タイミングに基づいてシンボル単位でそれぞれ復調する複数の復調器と、複数の該復調器により復調されたそれぞれの復調シンボルを記録する複数の復調バッファと、複数の復調バッファにそれぞれ記録された復調シンボルの信号電力値の中から最大の信号電力値が得られた復調タイミング位置の前記復調器と前記復調バッファとを、以降の復調に用いる復調系列として選択すると共に、選択された該復調系列の復調バッファの復調シンボルを出力する復調選択部と、を備えていることを特徴とする間欠受信装置。
【請求項２】
間欠的にスリープ状態から受信可能状態に移行せしめて受信信号波形を受信する間欠受信装置において、当該間欠受信装置の受信動作を行なうための基準クロックを出力する発振器と、前記基準クロックよりも低速の低速クロックを出力する低速クロック発生器と、当該間欠受信装置をウェイクアップさせるためのウェイクアップタイミングを前記低速クロックにより計数するウェイクアップカウンタと、前記ウェイクアップタイミングによりウェイクアップした際に、前記基準クロックに基づいて、所望する理想復調系列を示す理想復調タイミング位置を中心にして、当該間欠受信装置における復調動作に適するタイミング間隔として予め定められたタイミング幅Δｔずつ異なる複数の復調タイミング位置で、当該間欠受信装置に予め割り当てられている逆拡散コードを生成して出力するタイミング制御部と、無線部により受信された受信信号波形に対して、前記タイミング制御部から前記タイミング幅Δｔずつ異なる復調タイミング位置でそれぞれ出力されてくる前記逆拡散コードを乗算して復調シンボルをシンボル単位でそれぞれ復調する複数の復調器と、複数の該復調器により復調されたそれぞれの復調シンボルを記録する複数の復調バッファと、複数の復調バッファにそれぞれ記録された復調シンボルの信号電力値の中から最大の信号電力値が得られた復調タイミング位置の前記復調器と前記復調バッファとを、以降の復調に用いる復調系列として選択すると共に、選択された該復調系列の復調バッファの復調シンボルを出力する復調選択部と、を備えていることを特徴とする間欠受信装置。
【請求項３】
請求項１または２に記載の間欠受信装置において、前記復調選択部が、選択された前記復調系列の復調タイミング位置と所望する前記理想復調系列の理想復調タイミング位置との間のタイミング誤差情報を算出し、算出された該タイミング誤差情報を前記ウェイクアップカウンタ部に供給することにより、前記ウェイクアップカウンタの設定値を更新することを特徴とする間欠受信装置。
【請求項４】
請求項１乃至３のいずれかに記載の間欠受信装置において、当該間欠受信装置に備えられる複数の前記復調器の個数をＮとした場合、前記低速クロック発生器が出力する前記低速クロックに許容される最大誤差範囲ｄが、前記タイミング幅Δｔとの関係において、
ｄ  ≦  Δｔ×Ｎ
の関係を満足していることを特徴とする間欠受信装置。
【請求項５】
請求項１乃至４のいずれかに記載の間欠受信装置において、前記復調選択部より出力された前記復調系列の復調シンボルにより、受信信号が自機宛の情報であることが判別された場合、後続する制御情報に関する受信信号を復調するための復調タイミング位置として、該復調系列の復調タイミング位置をそのまま用いることを特徴とする間欠受信装置。
【請求項６】
請求項１乃至５のいずれかに記載の間欠受信装置において、前記復調器、前記復調バッファ、前記復調選択部、前記タイミング制御部のいずれか１乃至複数の回路部におけるハードウェア論理をプログラム化して、当該間欠受信装置に備えられた演算処理装置によりプログラムとして実行させることを特徴とする間欠受信装置。
【請求項７】
間欠的にスリープ状態から受信可能状態に移行せしめて受信信号波形を受信する間欠受信装置における間欠受信方法であって、当該間欠受信装置の受信動作を行なうための基準クロックを出力する発振器と、前記基準クロックよりも低速の低速クロックを出力する低速クロック発生器と、当該間欠受信装置をウェイクアップさせるためのウェイクアップタイミングを前記低速クロックにより計数するウェイクアップカウンタとを備え、前記ウェイクアップタイミングによりウェイクアップした際に、前記基準クロックに基づいて、所望する理想復調系列を示す理想復調タイミング位置を中心にして、当該間欠受信装置における復調動作に適するタイミング間隔として予め定められたタイミング幅Δｔずつ異なる複数の復調タイミングを生成して出力するタイミング制御ステップと、無線部により受信された受信信号波形に対して、前記タイミング制御部から前記タイミング幅Δｔずつ異なる復調タイミングに基づいてシンボル単位でそれぞれ復調する復調ステップと、該復調ステップにより復調されたそれぞれの復調シンボルを記録する復調記録ステップと、該復調記録ステップによりそれぞれ記録された復調シンボルの信号電力値の中から最大の信号電力値が得られた復調タイミング位置の復調系列を、以降の復調に用いる復調系列として選択すると共に、選択された該復調系列の復調シンボルを出力する復調選択ステップと、を有していることを特徴とする間欠受信方法。
【請求項８】
間欠的にスリープ状態から受信可能状態に移行せしめて受信信号波形を受信する間欠受信装置における間欠受信方法であって、当該間欠受信装置の受信動作を行なうための基準クロックを出力する発振器と、前記基準クロックよりも低速の低速クロックを出力する低速クロック発生器と、当該間欠受信装置をウェイクアップさせるためのウェイクアップタイミングを前記低速クロックにより計数するウェイクアップカウンタとを備え、前記ウェイクアップタイミングによりウェイクアップした際に、前記基準クロックに基づいて、所望する理想復調系列を示す理想復調タイミング位置を中心にして、当該間欠受信装置における復調動作に適するタイミング間隔として予め定められたタイミング幅Δｔずつ異なる複数の復調タイミング位置で、当該間欠受信装置に予め割り当てられている逆拡散コードを生成して出力するタイミング制御ステップと、無線部により受信された受信信号波形に対して、前記タイミング制御部から前記タイミング幅Δｔずつ異なる復調タイミング位置でそれぞれ出力されてくる前記逆拡散コードを乗算して復調シンボルをシンボル単位でそれぞれ復調する復調ステップと、該復調ステップにより復調されたそれぞれの復調シンボルを記録する復調記録ステップと、該復調記録ステップによりそれぞれ記録された復調シンボルの信号電力値の中から最大の信号電力値が得られた復調タイミング位置の復調系列を、以降の復調に用いる復調系列として選択すると共に、選択された該復調系列の復調シンボルを出力する復調選択ステップと、を有していることを特徴とする間欠受信方法。
【請求項９】
請求項７または８に記載の間欠受信方法において、前記復調選択ステップが、選択された前記復調系列の復調タイミング位置と所望する前記理想復調系列の理想タイミング位置との間のタイミング誤差情報を算出し、算出された該タイミング誤差情報を前記ウェイクアップカウンタ部に供給することにより、前記ウェイクアップカウンタの設定値を更新することを特徴とする間欠受信方法。
【請求項１０】
請求項７乃至９のいずれかに記載の間欠受信方法における、前記復調ステップ、前記復調記録ステップ、前記復調選択ステップ、前記タイミング制御ステップのいずれか１乃至複数のステップをプログラム化して、コンピュータによりプログラムとして実行させることを特徴とする間欠受信プログラム。
【請求項１１】
請求項１０に記載の間欠受信プログラムを記録している記録媒体としてコンピュータ読み取りが可能であることを特徴とするプログラム記録媒体。
【手続補正２】
【補正対象書類名】明細書
【補正対象項目名】００１３
【補正方法】変更
【補正の内容】
【００１３】
第１の技術手段は、間欠的にスリープ状態から受信可能状態に移行せしめて受信信号波形を受信する間欠受信装置において、当該間欠受信装置の受信動作を行なうための基準クロックを出力する発振器と、前記基準クロックよりも低速の低速クロックを出力する低速クロック発生器と、当該間欠受信装置をウェイクアップさせるためのウェイクアップタイミングを前記低速クロックにより計数するウェイクアップカウンタと、前記ウェイクアップタイミングによりウェイクアップした際に、前記基準クロックに基づいて、所望する理想復調系列を示す理想復調タイミング位置を中心にして、当該間欠受信装置における復調動作に適するタイミング間隔として予め定められたタイミング幅Δｔずつ異なる複数の復調タイミングを生成して出力するタイミング制御部と、無線部により受信された受信信号波形に対して、前記タイミング制御部から前記タイミング幅Δｔずつ異なる復調タイミングに基づいてシンボル単位でそれぞれ復調する複数の復調器と、複数の該復調器により復調されたそれぞれの復調シンボルを記録する複数の復調バッファと、複数の復調バッファにそれぞれ記録された復調シンボルの信号電力値の中から最大の信号電力値が得られた復調タイミング位置の前記復調器と前記復調バッファとを、以降の復調に用いる復調系列として選択すると共に、選択された該復調系列の復調バッファの復調シンボルを出力する復調選択部と、を備えていることを特徴とする。
第２の技術手段は、間欠的にスリープ状態から受信可能状態に移行せしめて受信信号波形を受信する間欠受信装置において、当該間欠受信装置の受信動作を行なうための基準クロックを出力する発振器と、前記基準クロックよりも低速の低速クロックを出力する低速クロック発生器と、当該間欠受信装置をウェイクアップさせるためのウェイクアップタイミングを前記低速クロックにより計数するウェイクアップカウンタと、前記ウェイクアップタイミングによりウェイクアップした際に、前記基準クロックに基づいて、所望する理想復調系列を示す理想復調タイミング位置を中心にして、当該間欠受信装置における復調動作に適するタイミング間隔として予め定められたタイミング幅Δｔずつ異なる複数の復調タイミング位置で、当該間欠受信装置に予め割り当てられている逆拡散コードを生成して出力するタイミング制御部と、無線部により受信された受信信号波形に対して、前記タイミング制御部から前記タイミング幅Δｔずつ異なる復調タイミング位置でそれぞれ出力されてくる前記逆拡散コードを乗算して復調シンボルをシンボル単位でそれぞれ復調する複数の復調器と、複数の該復調器により復調されたそれぞれの復調シンボルを記録する複数の復調バッファと、複数の復調バッファにそれぞれ記録された復調シンボルの信号電力値の中から最大の信号電力値が得られた復調タイミング位置の前記復調器と前記復調バッファとを、以降の復調に用いる復調系列として選択すると共に、選択された該復調系列の復調バッファの復調シンボルを出力する復調選択部と、を備えていることを特徴とする。
【手続補正３】
【補正対象書類名】明細書
【補正対象項目名】００１４
【補正方法】変更
【補正の内容】
【００１４】
第３の技術手段は、前記第１または第２の技術手段に記載の間欠受信装置において、前記復調選択部が、選択された前記復調系列の復調タイミング位置と所望する前記理想復調系列の理想復調タイミング位置との間のタイミング誤差情報を算出し、算出された該タイミング誤差情報を前記ウェイクアップカウンタ部に供給することにより、前記ウェイクアップカウンタの設定値を更新することを特徴とする。
【手続補正４】
【補正対象書類名】明細書
【補正対象項目名】００１５
【補正方法】変更
【補正の内容】
【００１５】
第４の技術手段は、前記第１乃至第３の技術手段のいずれかに記載の間欠受信装置において、当該間欠受信装置に備えられる複数の前記復調器の個数をＮとした場合、前記低速クロック発生器が出力する前記低速クロックに許容される最大誤差範囲ｄが、前記タイミング幅Δｔとの関係において、
ｄ  ≦  Δｔ×Ｎ
の関係を満足していることを特徴とする。
【手続補正５】
【補正対象書類名】明細書
【補正対象項目名】００１６
【補正方法】変更
【補正の内容】
【００１６】
第５の技術手段は、前記第１乃至第４の技術手段のいずれかに記載の間欠受信装置において、前記復調選択部より出力された前記復調系列の復調シンボルにより、受信信号が自機宛の情報であることが判別された場合、後続する制御情報に関する受信信号を復調するための復調タイミング位置として、該復調系列の復調タイミング位置をそのまま用いることを特徴とする。
【手続補正６】
【補正対象書類名】明細書
【補正対象項目名】００１７
【補正方法】変更
【補正の内容】
【００１７】
第６の技術手段は、前記第１乃至第５の技術手段のいずれかに記載の間欠受信装置において、前記復調器、前記復調バッファ、前記復調選択部、前記タイミング制御部のいずれか１乃至複数の回路部におけるハードウェア論理をプログラム化して、当該間欠受信装置に備えられた演算処理装置によりプログラムとして実行させることを特徴とする。
【手続補正７】
【補正対象書類名】明細書
【補正対象項目名】００１８
【補正方法】変更
【補正の内容】
【００１８】
第７の技術手段は、間欠的にスリープ状態から受信可能状態に移行せしめて受信信号波形を受信する間欠受信装置における間欠受信方法であって、当該間欠受信装置の受信動作を行なうための基準クロックを出力する発振器と、前記基準クロックよりも低速の低速クロックを出力する低速クロック発生器と、当該間欠受信装置をウェイクアップさせるためのウェイクアップタイミングを前記低速クロックにより計数するウェイクアップカウンタとを備え、前記ウェイクアップタイミングによりウェイクアップした際に、前記基準クロックに基づいて、所望する理想復調系列を示す理想復調タイミング位置を中心にして、当該間欠受信装置における復調動作に適するタイミング間隔として予め定められたタイミング幅Δｔずつ異なる複数の復調タイミングを生成して出力するタイミング制御ステップと、無線部により受信された受信信号波形に対して、前記タイミング制御部から前記タイミング幅Δｔずつ異なる復調タイミングに基づいてシンボル単位でそれぞれ復調する復調ステップと、該復調ステップにより復調されたそれぞれの復調シンボルを記録する復調記録ステップと、該復調記録ステップによりそれぞれ記録された復調シンボルの信号電力値の中から最大の信号電力値が得られた復調タイミング位置の復調系列を、以降の復調に用いる復調系列として選択すると共に、選択された該復調系列の復調シンボルを出力する復調選択ステップと、を有している間欠受信方法とすることを特徴とする。
第８の技術手段は、間欠的にスリープ状態から受信可能状態に移行せしめて受信信号波形を受信する間欠受信装置における間欠受信方法であって、当該間欠受信装置の受信動作を行なうための基準クロックを出力する発振器と、前記基準クロックよりも低速の低速クロックを出力する低速クロック発生器と、当該間欠受信装置をウェイクアップさせるためのウェイクアップタイミングを前記低速クロックにより計数するウェイクアップカウンタとを備え、前記ウェイクアップタイミングによりウェイクアップした際に、前記基準クロックに基づいて、所望する理想復調系列を示す理想復調タイミング位置を中心にして、当該間欠受信装置における復調動作に適するタイミング間隔として予め定められたタイミング幅Δｔずつ異なる複数の復調タイミング位置で、当該間欠受信装置に予め割り当てられている逆拡散コードを生成して出力するタイミング制御ステップと、無線部により受信された受信信号波形に対して、前記タイミング制御部から前記タイミング幅Δｔずつ異なる復調タイミング位置でそれぞれ出力されてくる前記逆拡散コードを乗算して復調シンボルをシンボル単位でそれぞれ復調する復調ステップと、該復調ステップにより復調されたそれぞれの復調シンボルを記録する復調記録ステップと、該復調記録ステップによりそれぞれ記録された復調シンボルの信号電力値の中から最大の信号電力値が得られた復調タイミング位置の復調系列を、以降の復調に用いる復調系列として選択すると共に、選択された該復調系列の復調シンボルを出力する復調選択ステップと、を有している間欠受信方法とすることを特徴とする。
【手続補正８】
【補正対象書類名】明細書
【補正対象項目名】００１９
【補正方法】変更
【補正の内容】
【００１９】
第９の技術手段は、前記第７または第８の技術手段に記載の間欠受信方法において、前記復調選択ステップが、選択された前記復調系列の復調タイミング位置と所望する前記理想復調系列の理想タイミング位置との間のタイミング誤差情報を算出し、算出された該タイミング誤差情報を前記ウェイクアップカウンタ部に供給することにより、前記ウェイクアップカウンタの設定値を更新することを特徴とする。
【手続補正９】
【補正対象書類名】明細書
【補正対象項目名】００２０
【補正方法】変更
【補正の内容】
【００２０】
第１０の技術手段は、前記第７乃至第９の技術手段のいずれかに記載の間欠受信方法における、前記復調ステップ、前記復調記録ステップ、前記復調選択ステップ、前記タイミング制御ステップのいずれか１乃至複数のステップをプログラム化して、コンピュータによりプログラムとして実行させる間欠受信プログラムとすることを特徴とする。
【手続補正１０】
【補正対象書類名】明細書
【補正対象項目名】００２１
【補正方法】変更
【補正の内容】
【００２１】
第１１の技術手段は、前記第１０の技術手段に記載の間欠受信プログラムを記録している記録媒体としてコンピュータ読み取りが可能であるプログラム記録媒体とすることを特徴とする。